(57)【要約】【課題】必要な時にのみ、確実に焼き付けを低コストで抑制せしめるプラズマテレビ、映像表示装置、及びプラズマテレビの焼き付き抑制方法を提供する。【解決手段】電源オン／オフ、チャンネル選択等の所定の操作スイッチを備えるとともに遠隔操作可能なリモコン１１ｃに、前記プラズマディスプレイパネル１１ｅの画面に表示される映像の輝度を所定の値に調整する、輝度調整キー１１ｃ１を設けた。これにより、焼き付き防止が必要と判断した視聴者が輝度調整キー１１ｃを操作した場合には、画面の表示される映像の輝度が所定の値に調整される。【選択図】図１
2007288658.tif 000002
【特許請求の範囲】
【請求項１】
外部から入力された映像信号に基づいて所定の映像をプラズマディスプレイパネルに表示し、視聴する映像表示装置としてのプラズマディスプレイテレビにおいて、
当該プラズマディスプレイテレビは、プラズマディスプレイパネルと、電源オン／オフ、チャンネル選択等の所定の操作スイッチを備え、遠隔操作可能なリモコンと、所定のプログラムが格納されたメモリと、当該リモコンの操作に基づき、必要に応じて当該メモリ内に格納されたプログラムを随時読み出し実行してプラズマディスプレイテレビの機能を制御するＣＰＵと、メニューテキストを表示するＯＳＤ回路とを有し、
前記リモコンは、前記プラズマディスプレイパネルに表示される映像の輝度を所定の値に調整する輝度調整キーを有し、
前記メモリ内には、当該輝度調整キーの操作回数に応じて映像の輝度を、初回操作の場合には初期の５／１０に低下させ、２回目操作の場合には初期の３／１０に低下させ、３回目操作の場合には初期の１／１０に低下させ、４回目操作の場合には初期に戻し、以降、４回操作毎に繰り返し調整する輝度調整プログラムと、プラズマディスプレイパネルに起動するスクリーンセーバーの起動時間を、当該輝度調整プログラムにより輝度レベルが低下するのに応じて長くなるように調整するスクリーンセーバー起動時間調整プログラムとが格納され、
焼き付き防止が必要と判断した視聴者が、リモコンの前記輝度調整キーを操作した場合には、ＣＰＵはメモリ内の当該輝度調整プログラムを読み出し実行して、視聴者の輝度調整キーの操作回数に応じて適宜、映像の輝度を調整すると同時に、
ＣＰＵは前記ＯＳＤ回路を制御して、プラズマディスプレイパネルにその際の輝度調整レベルを表示し、
更に、ＣＰＵはメモリ内の前記スクリーンセーバー起動時間調整プログラムを読み出し実行して、前記輝度調整プログラムにより輝度レベルが低下調整されたのに応じてスクリーンセーバーの起動時間を長くなるように調整することで、視聴者自身の判断に応じた確実なタイミングで焼き付きを抑制せしめると同時に、不要なタイミングでのスクリーンセーバーの起動を抑制せしめることを特徴とする、プラズマディスプレイテレビ。
【請求項２】
外部から入力された映像信号に基づいて所定の映像を画面に表示し、視聴する映像表示装置において、
電源オン／オフ、チャンネル選択等の所定の操作スイッチを備え、遠隔操作可能なリモコンに、画面に表示される映像の輝度を所定の値に調整する輝度調整キーを設けたことを特徴とする、映像表示装置。
【請求項３】
前記リモコンに設けられた輝度調節キーは、視聴者の操作回数に応じて、映像の輝度を、初回操作の場合には初期の５／１０に低下させ、２回目操作の場合には初期の３／１０に低下させ、３回目操作の場合には初期の１／１０に低下させ、４回目操作の場合には初期に戻し、以降、４回操作毎に繰り返し調整することを特徴とする、請求項２に記載の映像表示装置。
【請求項４】
前記映像表示装置は、外部から入力された映像信号に基づいて所定の映像をプラズマディスプレイパネルに表示し、視聴するプラズマディスプレイテレビであって、
当該プラズマディスプレイテレビは、プラズマディスプレイパネルと、電源オン／オフ、チャンネル選択等の所定の操作スイッチを備え、遠隔操作可能なリモコンと、所定のプログラムが格納されたメモリと、当該リモコンの操作に基づき、必要に応じて当該メモリ内に格納されたプログラムを随時読み出し実行してプラズマディスプレイテレビの機能を制御するＣＰＵとを有し、
前記リモコンは、前記プラズマディスプレイパネルに表示される映像の輝度を所定の値に調整する輝度調整キーを有し、
前記メモリ内には当該輝度調整キーの操作回数に応じて、映像の輝度を、初回操作の場合には初期の５／１０に低下させ、２回目操作の場合には初期の３／１０に低下させ、３回目操作の場合には初期の１／１０に低下させ、４回目操作の場合には初期に戻し、以降、４回操作毎に繰り返し調整する輝度調整プログラムが格納され、
焼き付き防止が必要と判断した視聴者が、リモコンの輝度調整キーを操作した場合には、ＣＰＵはメモリ内の当該輝度調整プログラムを読み出し実行して、視聴者の輝度調整キーの操作回数に応じて適宜、映像の輝度を調整することで、視聴者自身の判断に応じた確実なタイミングで焼き付きを抑制せしめることを特徴とする、請求項３に記載の映像表示装置。
【請求項５】
映像表示装置としての前記プラズマディスプレイテレビは、メニューテキストを表示するＯＳＤ回路を有し、
焼き付き防止が必要と判断した視聴者が、リモコンの輝度調整キーを操作した場合には、前記ＣＰＵはメモリ内の当該輝度調整プログラムを読み出し実行して、視聴者の輝度調整キーの操作回数に応じて適宜、映像の輝度を調整すると同時に、前記ＯＳＤ回路を制御して、プラズマディスプレイパネルにその際の輝度調整レベルを表示することを特徴とする、請求項４に記載の映像表示装置。
【請求項６】
前記メモリ内には、プラズマディスプレイパネルに起動するスクリーンセーバーの起動時間を、前記輝度調整プログラムにより輝度レベルが低下するのに応じて長くなるように調整するスクリーンセーバー起動時間調整プログラムが格納され、
焼き付き防止が必要と判断した視聴者が、リモコンの輝度調整キーを操作した場合には、前記ＣＰＵはメモリ内の当該輝度調整プログラムを読み出し実行して、視聴者の輝度調整キーの操作回数に応じて適宜、映像の輝度を調整すると同時に、メモリ内の前記スクリーンセーバー起動時間調整プログラムを読み出し実行して、前記輝度調整プログラムにより輝度レベルが低下調整されたのに応じてスクリーンセーバーの起動時間を長くなるように調整することを特徴とする、請求項４〜５に記載の映像表示装置。
【請求項７】
外部から入力された映像信号に基づいて所定の映像をプラズマディスプレイパネルに表示し、視聴する映像表示装置としてのプラズマディスプレイテレビにおいて、
当該プラズマディスプレイテレビが有するリモコンに設けられた、前記プラズマディスプレイパネルに表示される映像の輝度を所定の値に調整する輝度調整キーを、視聴者が必要な時に適宜操作することで、視聴者自身の判断に応じた確実なタイミングで焼き付きを抑制せしめると同時に、不要なタイミングでのスクリーンセーバーの起動を抑制せしめることを特徴とする、プラズマディスプレイテレビの焼き付き抑制方法。
【発明の詳細な説明】
【技術分野】
【０００１】
本発明は、焼き付けを抑制するプラズマディスプレイテレビ、映像表示装置、及びプラズマディスプレイテレビの焼き付き抑制方法に関する。
【背景技術】
【０００２】
放送された映像をディスプレイに表示させ、視聴するテレビは、娯楽番組、映画、或いはニュースなどを視聴する基幹メディアとして、一般家庭に広く普及して久しい。そして、生活水準の向上と共に、画面の大型化が進んでいる。しかし、従来より長らく主流となっている、ブラウン管を用いたテレビは、その構造上、奥行き寸法、重量、或いは消費電力といった点で問題を抱え、画面の大型化に限界が来つつあった。
【０００３】
一方、近年になって、電子、材料、半導体技術等の進展により、プラズマディスプレイや液晶といった、ブラウン管とは全く異なる新たな表示デバイスが開発されている。こうした表示デバイスは、従来のブラウン管と比較すると薄型であることから、一般にフラットディスプレイパネルと総称されることが多い。
【０００４】
フラットディスプレイパネルは、テレビ用途向けでは、技術開発の進展や量産効果と共に低コスト化と大型化が可能となり、ＴＶ放送のデジタル化に伴う買い替え需要や日本の狭い住宅事情とも合致して、従来のブラウン管方式にとって替わり、市場が大きく拡大している。
【０００５】
ところで、こうしたフラットディスプレイパネルにおいては、画面上の輝度差が大きい部分が長時間、固定されると、焼き付きと呼ばれる現象を起こすことがあった。特に、高電圧を印加して発光体を発光させるプラズマディスプレイの場合にこの傾向が大きい。焼き付けが生じると他の画像の表示状態であっても焼き付いた画像が残るため画像が重なって見え、画面が見にくくなるといった問題があった。
【０００６】
テレビ放送ではスクリーンの同一場所に同一の画像が長時間継続して表示されるといった番組がないため焼き付きが生じる可能性は低いが、例えば長時間にわたって同一のＯＳＤ表示を継続して行っていたり、ゲームの静止画を表示した場合などのような場合には、同一場所に同一の画像が長時間継続して表示されるといったことは常時発生するため、焼き付き防止策が必要となる。
【０００７】
そこで従来より、このような焼きつきを回避するために、以下のような従来技術が開示されている。
【０００８】
即ち、特開平１１−０６５５４１号公報（特許文献１）では、表示装置の使用者側の使用・運用によりスクリーンセイバ機能を稼働させる場合の焼付現象への対策が不確実となる問題を解決するため、表示画像の画像データと画像表示時間の計測手段等を設け、スクリーンセイバデータを自動的に表示するようにすることで、ＰＤＰの焼き付けを自動的に回避している。
【０００９】
特開２００４−３３６６４６号公報（特許文献２）では、人感センサを設け、所定時間継続して人が検出されない場合には、画面焼き付き防止用映像を表示させる一方、人が検出された場合には、当該画面焼き付き防止用映像をオフするようにしている。
【００１０】
特開２００５−１６７６６２号公報（特許文献３）では、設定時間内にリモコン等からの制御信号が無い場合には、親画面から子画面に自動的に切り換えるようにする一方、リモコン等からの制御信号があった場合には子画面から親画面に自動的に切り換えるようにしている。
【００１１】
特開２００６−０１１０６７号公報（特許文献４）では、フレームメモリを用いて焼き付きの画像データを保存し、当該画像データに基づいて輝度を反転させた反転画像を表示させ、ＰＤＰの表示画面全体を均一化させる。
【特許文献１】特開平１１−０６５５４１号公報
【特許文献２】特開２００４−３３６６４６号公報
【特許文献３】特開２００５−１６７６６２号公報
【特許文献４】特開２００６−０１１０６７号公報
【発明の開示】
【発明が解決しようとする課題】
【００１２】
しかしながら、前記特許文献１の構成では、画像表示時間の計測手段等の機構を別途設けねばならず、コストアップにつながる。又、静止画像を表示した状態で、視聴者が一時的に席を外したような場合、その間はスクリーンセイバ機能が切り換わらず、視聴者が戻ってきて視聴を再開しようとした時に設定時間が到達してスクリーンセイバ機能に切り換わってしまい、視聴者の視聴を阻害してしまうといった問題が生ずる可能性があった。
【００１３】
前記特許文献２の構成では、人感センサにより検出して画面焼き付き防止用映像のオンオフを制御しているので、上述した視聴者が一時的に席を外した後の視聴再開時における問題は解決できるが、人感センサを新たに設ける必要があるため、やはりコストアップが避けられないという問題があった。
【００１４】
前記特許文献３の構成では、リモコン等の操作をしない状態が設定時間続いた場合に画面切り換えを行うので、視聴者が一時的に席を外したような場合、戻ってくるまでの時間が短かく、設定時間内であったような場合、前記特許文献１に場合と同様に、肝心の席を外している間は画面切り換えが行われず、戻ってきて視聴を再開しようとした時に画面切り換えが行われてしまう可能性があった。
【００１５】
即ち、各特許文献１〜３では、視聴者が一時的に席を外したような場合に、そのタイミングでのみ画面の焼き付き防止動作を確実且つ低コストで行いつつ、その後の視聴再開は妨げることがないというものではなかった。又、特許文献４の構成では、焼き付き画像を保存するための専用のメモリを不要化するものであって、やはりこうした問題を解決するものではない。
【００１６】
本発明は、上記問題にかんがみてなされたもので、必要な時にのみ、確実に焼き付けを低コストで抑制せしめるプラズマディスプレイテレビ、映像表示装置、及びプラズマディスプレイテレビの焼き付き抑制方法を提供することを目的とする。
【課題を解決するための手段】
【００１７】
上記問題を解決する為に請求項１に記載の発明は、外部から入力された映像信号に基づいて所定の映像をプラズマディスプレイパネルに表示し、視聴する映像表示装置としてのプラズマディスプレイテレビにおいて、当該プラズマディスプレイテレビは、プラズマディスプレイパネルと、電源オン／オフ、チャンネル選択等の所定の操作スイッチを備え、遠隔操作可能なリモコンと、所定のプログラムが格納されたメモリと、当該リモコンの操作に基づき、必要に応じて当該メモリ内に格納されたプログラムを随時読み出し実行してプラズマディスプレイテレビの機能を制御するＣＰＵと、メニューテキストを表示するＯＳＤ回路とを有し、前記リモコンは、前記プラズマディスプレイパネルに表示される映像の輝度を所定の値に調整する輝度調整キーを有し、前記メモリ内には、当該輝度調整キーの操作回数に応じて映像の輝度を、初回操作の場合には初期の５／１０に低下させ、２回目操作の場合には初期の３／１０に低下させ、３回目操作の場合には初期の１／１０に低下させ、４回目操作の場合には初期に戻し、以降、４回操作毎に繰り返し調整する輝度調整プログラムと、プラズマディスプレイパネルに起動するスクリーンセーバーの起動時間を、当該輝度調整プログラムにより輝度レベルが低下するのに応じて長くなるように調整するスクリーンセーバー起動時間調整プログラムとが格納され、焼き付き防止が必要と判断した視聴者が、リモコンの前記輝度調整キーを操作した場合には、ＣＰＵはメモリ内の当該輝度調整プログラムを読み出し実行して、視聴者の輝度調整キーの操作回数に応じて適宜、映像の輝度を調整すると同時に、ＣＰＵは前記ＯＳＤ回路を制御して、プラズマディスプレイパネルにその際の輝度調整レベルを表示し、更に、ＣＰＵはメモリ内の前記スクリーンセーバー起動時間調整プログラムを読み出し実行して、前記輝度調整プログラムにより輝度レベルが低下調整されたのに応じてスクリーンセーバーの起動時間を長くなるように調整することで、視聴者自身の判断に応じた確実なタイミングで焼き付きを抑制せしめると同時に、不要なタイミングでのスクリーンセーバーの起動を抑制せしめる構成としている。
【００１８】
上記のように構成した請求項１に記載の発明によれば、焼き付き防止が必要と判断した視聴者が、リモコンの輝度調整キーを操作した場合には、当該輝度調整キーの操作回数に応じて適宜、輝度が所定の値に調整されると同時に、画面に輝度調整レベルが表示され、更に、輝度レベルが低下調整されたのに応じてスクリーンセーバーの起動時間が長くなるように調整される。
【００１９】
請求項２に記載の発明は、外部から入力された映像信号に基づいて所定の映像を画面に表示し、視聴する映像表示装置において、電源オン／オフ、チャンネル選択等の所定の操作スイッチを備え、遠隔操作可能なリモコンに、画面に表示される映像の輝度を所定の値に調整する輝度調整キーを設けた構成としている。
【００２０】
上記のように構成した請求項２に記載の発明によれば、焼き付き防止が必要と判断した視聴者が輝度調整キーを操作した場合には、画面の表示される映像の輝度が所定の値に調整される。
【発明の効果】
【００２１】
請求項１に記載の発明によれば、焼き付き防止が必要と判断した視聴者が、リモコンの輝度調整キーを操作した場合には、当該輝度調整キーの操作回数に応じて適宜、輝度が所定の値に調整されると同時に、画面に輝度調整レベルが表示され、更に、輝度レベルが低下調整されたのに応じてスクリーンセーバーの起動時間が長くなるように調整される。
【００２２】
よって、視聴者自身の判断に応じた確実なタイミングで焼き付きを抑制せしめると同時に、不要なタイミングでのスクリーンセーバーの起動を抑制せしめる。又、視聴者は、その際の輝度レベルを画面上で容易に把握できるので、調整作業も確実且つ容易に行い得る。
【００２３】
請求項２に記載の発明によれば、焼き付き防止が必要と判断した視聴者が輝度調整キーを操作した場合には、画面の表示される映像の輝度が所定の値に調整される。
【００２４】
よって、視聴者自身の判断に応じた確実なタイミングで焼き付きを抑制せしめる。
請求項３に記載の発明によれば、焼き付き防止が必要と判断した視聴者が輝度調整キーを操作した場合には、当該輝度調整キーの操作回数に応じて適宜、輝度が所定の値に調整される。
【００２５】
よって、視聴者自身の判断に応じた確実なタイミングで焼き付きを抑制せしめる。
【００２６】
請求項４に記載の発明によれば、焼き付き防止が必要と判断した視聴者が輝度調整キーを操作した場合には、ＣＰＵがメモリ内の前記輝度調整プログラムを読み出し実行することで、当該輝度調整キーの操作回数に応じて適宜、輝度が所定の値に調整される。
【００２７】
よって、上記同様、視聴者自身の判断に応じた確実なタイミングで焼き付きを抑制せしめる。
【００２８】
請求項５に記載の発明によれば、焼き付き防止が必要と判断した視聴者が、リモコンの輝度調整キーを操作した場合には、当該輝度調整キーの操作回数に応じて適宜、輝度が所定の値に調整されると同時に、画面に輝度調整レベルが表示される。
【００２９】
よって、視聴者自身の判断に応じた確実なタイミングで焼き付きを抑制せしめる。又、視聴者は、その際の輝度レベルを画面上で容易に把握できるので、調整作業も確実且つ容易に行い得る。
【００３０】
請求項６に記載の発明によれば、焼き付き防止が必要と判断した視聴者が、リモコンの輝度調整キーを操作した場合には、当該輝度調整キーの操作回数に応じて適宜、輝度が所定の値に調整されると同時に、輝度レベルが低下調整されたのに応じてスクリーンセーバーの起動時間が長くなるように調整される。
【００３１】
よって、視聴者自身の判断に応じた確実なタイミングで焼き付きを抑制せしめると同時に、不要なタイミングでのスクリーンセーバーの起動を抑制せしめる。
【００３２】
請求項７に記載の発明によれば、焼き付き防止が必要と判断した視聴者が輝度調整キーを操作し、輝度が所定の値に調整される。
【００３３】
よって、上記同様、視聴者自身の判断に応じた確実なタイミングで焼き付きを抑制せしめる。
【発明を実施するための最良の形態】
【００３４】
以下、本発明を具体化した実施例について説明する。
【実施例１】
【００３５】
図１には、本実施例における映像表示装置としてのプラズマディスプレイテレビ１１の概略構成を説明するブロック図を示す。尚、当該プラズマディスプレイテレビ１１について、本願発明と直接関連しない構造については、詳細な説明、及び図示を省略する。
【００３６】
同図において、プラズマディスプレイテレビ１１は、本体の動作を制御するコントローラ１１ｂと、図示していないアンテナで受信されるテレビ放送信号から選択されているチャンネルのテレビ放送信号を抽出し、出力するチューナ１１ｄと、該チューナ１１ｄが出力したテレビ放送信号に基く映像をプラズマディスプレイパネル１１ｅに表示する映像処理部１１ｆと、該チューナ１１ｄが出力したテレビ放送信号に基く音声をスピーカ１１ｇから出力する音声処理部１１ｈと、リモコン１１ｃから送信されてきた制御コマンドを受信するリモコン受信部１１ａとを備えている。
【００３７】
前記リモコン１１ｃは、不図示の電源のオン／オフ、チャンネルの切換、音量のアップ／ダウン等の通常のテレビ各種操作ボタンと併せて、後述する輝度調整キーとしての輝度調整ボタン１１ｃ１を有する。
【００３８】
前記コントローラ１１ｂは、ＣＰＵ１１ｂ１，メモリとしてのＲＯＭ１１ｂ２，ＯＳＤ回路１１ｂ３を有し、リモコン受信部１１ａで受信した制御コマンドに応じて、電源のオン／オフ、チャンネルの切換、音量のアップ／ダウン等の通常のテレビ各種操作機能と併せて、後述する輝度調整機能を制御する。尚、プラズマディスプレイテレビ１１の各部には、図示していない電源回路から動作電源が供給されている。この電源回路の入力は、商用電源（例えば、ＡＣ１００Ｖ）である。
【００３９】
前記ＲＯＭ１１ｂ２には、輝度調整プログラム及びスクリーンセーバー起動時間調整プログラムが格納されている。当該輝度調整プログラムは、前記輝度調整ボタン１１ｃ１の操作回数に応じて映像の輝度を徐々に低下させ、且つ一定回数に達すると初期に戻す制御内容となっている。例えば本実施例では、初回操作の場合には初期の５／１０に低下させ、２回目操作の場合には初期の３／１０に低下させ、３回目操作の場合には初期の１／１０に低下させ、４回目操作の場合には初期に戻し、以降、４回操作毎に繰り返し調整する。
【００４０】
一方、前記スクリーンセーバー起動時間調整プログラムは、プラズマディスプレイパネル１１ｅに起動するスクリーンセーバーの起動時間を、前記輝度調整プログラムにより輝度レベルが低下するのに応じて長くなるように調整する制御内容となっている。例えば本実施例では、前記輝度調整ボタン１１ｃ１の操作が初回操作の場合、初期の１．５倍に延長し、２回目操作の場合には初期の３倍に延長し、３回目操作の場合には初期の６倍に延長し、４回目操作の場合には初期に戻し、以降、４回操作毎に繰り返し調整する。
【００４１】
尚、前記スクリーンセーバーとは、テレビ各種操作が一定時間なく静止画像が長時間表示されていると思われる場合に、現表示映像の表示位置を所定の時間経過ごとに水平方向及び垂直方向ヘ若干ずらし、蛍光体の表示状態に変化を与えることで焼き付きを防止するようにしたものである。
【００４２】
図２に前記輝度調整プログラム及び前記スクリーンセーバー起動時間調整プログラムの両プログラムの上述した制御内容を説明するフローチャートを示す。同図において、まずステップ１（Ｓ１）で輝度調整ボタン１１ｃ１が押されたか否か判別する。その結果、押された場合にはステップ２（Ｓ２）に進む一方、押されていない場合にはステップ１（Ｓ１）を繰り返す。ステップ２（Ｓ２）では、輝度レベルを初期の５／１０に低下させると共に、スクリーンセーバー起動時間を初期の１．５倍に延長し、ステップ３（Ｓ３）に進む。
【００４３】
ステップ３（Ｓ３）では、輝度調整ボタン１１ｃ１が押されたか否かを再び判別する。その結果、押された場合にはステップ４（Ｓ４）に進む一方、押されていない場合にはステップ３（Ｓ３）を繰り返す。ステップ４（Ｓ４）では、輝度レベルを初期の３／１０に低下させると共に、スクリーンセーバー起動時間を初期の３倍に延長し、ステップ５（Ｓ５）に進む。
【００４４】
ステップ５（Ｓ５）では、輝度調整ボタン１１ｃ１が押されたか否かを三たび判別する。その結果、押された場合にはステップ６（Ｓ６）に進む一方、押されていない場合にはステップ５（Ｓ５）を繰り返す。ステップ６（Ｓ６）では、輝度レベルを初期の１／１０に低下させると共に、スクリーンセーバー起動時間を初期の６倍に延長し、ステップ７（Ｓ７）に進む。
【００４５】
ステップ７（Ｓ７）では、輝度調整ボタン１１ｃ１が押されたか否かを四たび判別する。その結果、押された場合にはステップ８（Ｓ８）に進み、輝度レベルとスクリーンセーバー起動時間とを初期状態に戻してステップ１（Ｓ１）に戻り、ステップ１（Ｓ１）からの処理を繰り返す。一方、ステップ７（Ｓ７）で輝度調整ボタン１１ｃ１が押されていない場合にはステップ７（Ｓ７）を繰り返す。
【００４６】
前記ＯＳＤ回路１１ｂ３は、前記ＣＰＵ１１ｂ１の制御に基づいて、チャンネルの切換、音量のアップ／ダウン等の通常のテレビ各種操作機能と併せ、前記輝度調整ボタン１１ｃ１の操作回数に応じて制御される映像の輝度レベル、及びスクリーンセーバーの起動時間のメニューテキストを適宜表示する。
【００４７】
以上のように構成された前記プラズマディスプレイテレビ１１を視聴中の視聴者が、例えば一時的に席を外すような際に焼き付き防止の必要があると判断した場合には、リモコン１１ｃに設けられた前記輝度調整ボタン１１ｃ１を押す。この際、前記ＣＰＵ１１ｂ１により制御されたＯＳＤ回路１１ｂ３により、画面に低下させる輝度レベル、及びスクリーンセーバーの延長させる起動時間が、例えば棒グラフ状の目盛りで表示される。
【００４８】
視聴者は、この画面を確認しつつ、状況に応じて低下させる輝度レベルとなるように輝度調整ボタン１１ｃ１を必要回数、押して調整する。即ち、前述の通り、初回操作の場合には初期の５／１０に低下させ、２回目操作の場合には初期の３／１０に低下させ、３回目操作の場合には初期の１／１０に低下させ、４回目操作の場合には初期に戻し、以降、４回操作毎に繰り返し調整できる。
【００４９】
よって、視聴者は、例えば席を外す時間が長くなる等で、前記プラズマディスプレイパネル１１ｅの焼き付きを抑制するための画面の輝度レベルの低下を大きくとる必要があると判断した場合には、前記輝度調整ボタン１１ｃ１を３回操作し、輝度レベルを下限の初期の１／１０にまで低下させる。
【００５０】
一方、席を外す時間がそれ程長くならず、前記プラズマディスプレイパネル１１ｅの焼き付きを抑制するための画面の輝度レベルの低下をそれほど大きくとる必要が無いと判断した場合には、前記輝度調整ボタン１１ｃ１を１〜２回操作し、輝度レベルの低下を初期の５／１０〜３／１０にとどめるようにする。
【００５１】
即ち、視聴者は、状況に応じて自らの判断で、必要なタイミングで必要なレベルでの輝度を容易に調整し得ることになる。
【００５２】
又、スクリーンセーバーの起動時間はこれに自動的に連動し、初回操作の場合、初期の１．５倍に延長し、２回目操作の場合には初期の３倍に延長し、３回目操作の場合には初期の６倍に延長し、４回目操作の場合には初期に戻し、以降、４回操作毎に繰り返し調整される。
【００５３】
視聴者は、その後、前記プラズマディスプレイテレビ１１の視聴を再開する際には、再び前記リモコン１１ｃに設けられた前記輝度調整ボタン１１ｃ１を必要回数だけ押し、初期の輝度レベル、及びスクリーンセーバーの起動時間に戻す。
【００５４】
例えば、事前に行った輝度レベルの低下の調整操作が、前記輝度調整ボタン１１ｃ１を３回行い、初期の１／１０の輝度となっている場合には、視聴者は、当該輝度調整ボタン１１ｃ１を１回操作することで、初期の輝度レベル、及びスクリーンセーバーの起動時間に復帰させる。
【００５５】
同様に、事前に行った輝度レベルの低下の調整操作が、前記輝度調整ボタン１１ｃ１を１回行い、初期の５／１０の輝度となっている場合には、当該輝度調整ボタン１１ｃ１を３回、前記輝度調整ボタン１１ｃ１を２回行い、初期の３／１０の輝度となっている場合には、当該輝度調整ボタン１１ｃ１を２回、各々操作することで、初期の輝度レベル、及びスクリーンセーバーの起動時間に復帰させる。
【００５６】
即ち、視聴者は、状況に応じて自らの判断で、必要なタイミングで輝度を容易に復帰調整し得ることになる。
【００５７】
以上に説明したように、本実施例では、プラズマディスプレイテレビ１１のリモコン１１ｃに、輝度調整ボタン１１ｃ１を設け、視聴者が状況に応じて輝度レベルの調整を行えるようにしたので、視聴者自身の判断に応じた確実なタイミングで焼き付きを抑制せしめると同時に、視聴を再開したい時には容易に輝度レベルを初期の状態に戻すことができ、視聴の妨げにはならない。
【００５８】
その上、スクリーンセーバーの起動時間を輝度レベルに応じて自動的に延長させるようにしたので、輝度レベルが低い場合の、不要なタイミングでのスクリーンセーバーの頻繁な起動を抑制せしめる。
【００５９】
更に、視聴者は、その際の輝度レベル、及びスクリーンセーバーの起動時間を画面上で容易に把握しながら調整できるので、調整作業も確実且つ容易に行い得る。
【００６０】
更に、従来の構成に対しては、リモコンに輝度調整キーを付加するのみで、その他はソフト的な変更のみで済むので、極めて低コストである。
【００６１】
よって、必要な時にのみ、確実に焼き付けを低コストで抑制せしめるプラズマディスプレイテレビ、及び映像表示装置を提供し得る。
【００６２】
尚、本願発明は上記実施例の構成に限定されるものではなく、以下に列記する構成について、適宜変更可能である。
【００６３】
１．実施例では、映像表示装置としてプラズマディスプレイテレビの場合を例に説明したが、これに限定はされず、液晶、有機ＥＬ等、焼き付きの恐れのある他の映像表示装置に適用可能である。
【００６４】
２．実施例では、リモコンに設けた輝度調整キーで輝度レベルを調整する際、輝度レベルに連動して自動的にスクリーンセーバーの起動時間を同時に調整する構成としているが、これに限定はされず、スクリーンセーバーの起動時間の調整を止めて、輝度レベルのみの調整に限って行うようにしても良い。或いは、スクリーンセーバーの起動時間の調整を別の調整キーを設けて、独立して調整可能にしても良い。
【００６５】
更には、輝度レベルの調整を止めて、スクリーンセーバーの起動時間のみを調整するようにしても良い。この場合、スクリーンセーバーの起動時間を短くする、或いは操作で直ちに起動するようにする。輝度レベルの低下による焼き付き抑制はできなくなるが、代わりにスクリーンセーバーの起動による焼き付き抑制が図れる。
【００６６】
３．実施例では、リモコンに設けた輝度調整キーで、輝度レベルを初期を含めて４段階に調整可能にしているが、これはあくまでも一例に過ぎず、何ら限定されるものではない。例えば、２段階、即ち初期と、一定レベルへの低下の何れかへの切り換えのみとしても良いし、３段階、或いは５段階以上の調整機能を付与しても良い。勿論、スクリーンセーバーの起動時間の調整レベルについても同様である。
【００６７】
４．実施例で記載した輝度レベルの調整度合いはあくまでも一例に過ぎず、何ら限定されるものではない。例えば、輝度調整キーの初回操作から３回操作まで、順に１／３づつ低下させるようにしても良い。低下の調整度合いは、状況に応じて任意に設定し得る。勿論、スクリーンセーバーの起動時間の調整レベルについても同様である。
【００６８】
５．実施例では、輝度調整キーで調整される各々の輝度レベルに応じて、全て異なるスクリーンセーバーの起動時間を各々設定し、連動させているが、これに限定はされず、輝度調整キーで調整される各輝度レベルの内の任意の一部については、スクリーンセーバーの起動時間を不変とするようにしても良い。
【００６９】
例えば、輝度調整キーで調整される輝度レベルが１回操作の場合の初期の５／１０、及び２回操作の場合の初期の３／１０の場合には、スクリーンセーバーの起動時間を初期の１．５倍と同じ延長時間にし、３回操作の場合にはスクリーンセーバーの起動時間を初期の６倍とするような構成が挙げられる。
【００７０】
これは、輝度調整キーで調整される輝度レベルの変化が比較的小さい場合、スクリーンセーバーの起動時間をそれに応じて細かく延長変化させても、実用上、あまり差が無い場合があるからである。
【００７１】
６．実施例では、リモコンに設けた輝度調整キーの操作回数に応じて輝度レベルを低下させているが、これに限定はされず、例えば輝度調整キーを輝度レベルに応じた複数設け、選択操作で行うようにしても良い。この場合、コストは若干上がるが、操作性を向上できる。
【００７２】
７．リモコンに設けた輝度調整キーはボタン形式に限定はされず、レバー、ダイヤル等、調整可能な各種キーが適用可能である。
【００７３】
８．実施例では、ＯＳＤ回路により、画面に低下させる輝度レベル、及びスクリーンセーバーの延長させる起動時間が、例えば棒グラフ状の目盛りで表示される場合で説明したが、表示形態は視聴者が視認把握可能であれば、数字等の各種形態が適用可能である。
【００７４】
又、低下させた輝度レベルの表示は、映像表示装置の画面上では無く、リモコン側で行っても良い。この場合、例えば液晶モニターを設け、そこに表示したり、或いはＬＥＤランプを設け、点灯させる等といった構成が考えられる。
【００７５】
更に、輝度レベルの低下は、映像自体でも感覚的にある程度把握できるので、こうした表示自体を省略してしまっても良い。
【００７６】
９．輝度調整キーは、実施例のようなリモコンに設ける場合に限定はされず、映像表示装置本体側に設けても良いし、リモコンとの両方に設けるようにしても良い。
【００７７】
１０．以上の構成は、プラズマディスプレイテレビ、及び映像表示装置としてのみならず、プラズマディスプレイテレビの焼き付き抑制方法としても提供可能であるのは言うまでもない。
【００７８】
以下に請求項３以降の作用について述べる。
【００７９】
請求項３に記載の発明は、前記リモコンに設けられた輝度調節キーは、視聴者の操作回数に応じて、映像の輝度を、初回操作の場合には初期の５／１０に低下させ、２回目操作の場合には初期の３／１０に低下させ、３回目操作の場合には初期の１／１０に低下させ、４回目操作の場合には初期に戻し、以降、４回操作毎に繰り返し調整する構成としている。
【００８０】
上記のように構成した請求項３に記載の発明によれば、焼き付き防止が必要と判断した視聴者が輝度調整キーを操作した場合には、当該輝度調整キーの操作回数に応じて適宜、輝度が所定の値に調整される。
【００８１】
請求項４に記載の発明は、前記映像表示装置は、外部から入力された映像信号に基づいて所定の映像をプラズマディスプレイパネルに表示し、視聴するプラズマディスプレイテレビであって、当該プラズマディスプレイテレビは、プラズマディスプレイパネルと、電源オン／オフ、チャンネル選択等の所定の操作スイッチを備え、遠隔操作可能なリモコンと、所定のプログラムが格納されたメモリと、当該リモコンの操作に基づき、必要に応じて当該メモリ内に格納されたプログラムを随時読み出し実行してプラズマディスプレイテレビの機能を制御するＣＰＵとを有し、前記リモコンは、前記プラズマディスプレイパネルに表示される映像の輝度を所定の値に調整する輝度調整キーを有し、前記メモリ内には当該輝度調整キーの操作回数に応じて、映像の輝度を、初回操作の場合には初期の５／１０に低下させ、２回目操作の場合には初期の３／１０に低下させ、３回目操作の場合には初期の１／１０に低下させ、４回目操作の場合には初期に戻し、以降、４回操作毎に繰り返し調整する輝度調整プログラムが格納され、焼き付き防止が必要と判断した視聴者が、リモコンの輝度調整キーを操作した場合には、ＣＰＵはメモリ内の当該輝度調整プログラムを読み出し実行して、視聴者の輝度調整キーの操作回数に応じて適宜、映像の輝度を調整することで、視聴者自身の判断に応じた確実なタイミングで焼き付きを抑制せしめる構成としている。
【００８２】
上記のように構成した請求項４に記載の発明によれば、焼き付き防止が必要と判断した視聴者が輝度調整キーを操作した場合には、ＣＰＵがメモリ内の前記輝度調整プログラムを読み出し実行することで、当該輝度調整キーの操作回数に応じて適宜、輝度が所定の値に調整される。
【００８３】
請求項５に記載の発明は、映像表示装置としての前記プラズマディスプレイテレビは、メニューテキストを表示するＯＳＤ回路を有し、焼き付き防止が必要と判断した視聴者が、リモコンの輝度調整キーを操作した場合には、前記ＣＰＵはメモリ内の当該輝度調整プログラムを読み出し実行して、視聴者の輝度調整キーの操作回数に応じて適宜、映像の輝度を調整すると同時に、前記ＯＳＤ回路を制御して、プラズマディスプレイパネルにその際の輝度調整レベルを表示する構成としている。
【００８４】
上記のように構成した請求項５に記載の発明によれば、焼き付き防止が必要と判断した視聴者が、リモコンの輝度調整キーを操作した場合には、当該輝度調整キーの操作回数に応じて適宜、輝度が所定の値に調整されると同時に、画面に輝度調整レベルが表示される。
【００８５】
請求項６に記載の発明は、前記メモリ内には、プラズマディスプレイパネルに起動するスクリーンセーバーの起動時間を、前記輝度調整プログラムにより輝度レベルが低下するのに応じて長くなるように調整するスクリーンセーバー起動時間調整プログラムが格納され、焼き付き防止が必要と判断した視聴者が、リモコンの輝度調整キーを操作した場合には、前記ＣＰＵはメモリ内の当該輝度調整プログラムを読み出し実行して、視聴者の輝度調整キーの操作回数に応じて適宜、映像の輝度を調整すると同時に、メモリ内の前記スクリーンセーバー起動時間調整プログラムを読み出し実行して、前記輝度調整プログラムにより輝度レベルが低下調整されたのに応じてスクリーンセーバーの起動時間を長くなるように調整する構成としている。
【００８６】
上記のように構成した請求項６に記載の発明によれば、焼き付き防止が必要と判断した視聴者が、リモコンの輝度調整キーを操作した場合には、当該輝度調整キーの操作回数に応じて適宜、輝度が所定の値に調整されると同時に、輝度レベルが低下調整されたのに応じてスクリーンセーバーの起動時間が長くなるように調整される。
【００８７】
以上の各構成は、方法として提供することも可能であり、そのため、請求項７に記載の発明は、外部から入力された映像信号に基づいて所定の映像をプラズマディスプレイパネルに表示し、視聴する映像表示装置としてのプラズマディスプレイテレビにおいて、当該プラズマディスプレイテレビが有するリモコンに設けられた、前記プラズマディスプレイパネルに表示される映像の輝度を所定の値に調整する輝度調整キーを、視聴者が必要な時に適宜操作することで、視聴者自身の判断に応じた確実なタイミングで焼き付きを抑制せしめると同時に、不要なタイミングでのスクリーンセーバーの起動を抑制せしめる構成としている。
【００８８】
上記のように構成した請求項７に記載の発明によれば、焼き付き防止が必要と判断した視聴者が輝度調整キーを操作し、輝度が所定の値に調整される。
【産業上の利用可能性】
【００８９】
必要な時にのみ、確実に焼き付けを低コストで抑制せしめるプラズマテレビ、映像表示装置、及びプラズマテレビの焼き付き抑制方法を提供する。
【図面の簡単な説明】
【００９０】
【図１】本発明の実施例１を説明するブロック図である。
【図２】本発明の実施例１を説明するフローチャート図である。
【符号の説明】
【００９１】
１１…プラズマディスプレイテレビ
１１ｂ…コントローラ
１１ｂ１…ＣＰＵ
１１ｂ２…メモリとしてのＲＯＭ
１１ｂ３…ＯＳＤ回路
１１ｃ…リモコン
１１ｃ１…輝度調整用キーとしての輝度調整用ボタン
１１ｅ…プラズマディスプレイパネル
【図１】
2007288658.tif 000003
【図２】
2007288658.tif 000004